(57)【要約】【課題】発射台を回転及び傾動自在としたことにより、発射台を所定の角度に傾動させた状態で該発射台を回転させながら打ち上げたり、発射台の傾動角度を変化させつつ該発射台を回転させることにより、打上花火を夜空に趣向高く打ち上げることができる花火の打上装置を提供することを目的とする。【解決手段】基台１上に立設固定された主柱４上に下端部が回動及び傾動可能に支持された主軸６を設け、主軸６に固定されたモータ支持台５上に主軸回転用モータ９を配備するとともに、基台１上に主軸傾動用モータ１０を配備し、該主軸６の上部に発射台１５を支持固定する。上記発射台１５上には発射筒１８の固定具１６を位置調節可能に取付けてある。【選択図】図１
2005221111.tif 000002
【特許請求の範囲】
【請求項１】
基台上に立設固定された主柱上に下端部が傾動可能に支持された主軸を設け、該主軸の上部に発射台を支持固定したことを特徴とする花火の打上装置。
【請求項２】
基台上に立設固定された主柱上に下端部が回動及び傾動可能に支持された主軸を設け、該主軸の上部に発射台を支持固定したことを特徴とする花火の打上装置。
【請求項３】
基台上に立設固定された主柱上に下端部が回動及び傾動可能に支持された主軸を設け、主軸に固定されたモータ支持台上に主軸回転用モータを配備するとともに、基台上に主軸傾動用モータを配備し、該主軸の上部に発射台を支持固定したことを特徴とする花火の打上装置。
【請求項４】
発射台上に発射筒の固定具を位置調節可能に取付けた請求項１，２又は３に記載の花火の打上装置。
【発明の詳細な説明】
【技術分野】
【０００１】
本発明は打上花火を夜空に趣向高く打ち上げるため、発射台を回転及び傾動自在とした打上装置に関するものである。
【背景技術】
【０００２】
従来から一般に用いられている花火の打上装置は、上部開口部が上向きに設けられた花火打上げ用の筒体を発射台上に据え付けて、上空真上に向けて打上花火を発射するのが通例である。打上花火の一般的構造は紙製の玉皮の中心に黒色火薬などを綿実などと混ぜた割薬を置き、該割薬と玉皮との隙間に色火剤や登煙剤を練り固めた小球状の星を積め込んでいる。そして打上用の筒体の底に発射薬として黒色火薬を詰め、その上に花火を置いてから発射薬に点火すると花火を空中高く打上げることができる。
【０００３】
他方で花火を斜めに打ち上げる試みも行われており、例えば適宜間隔をおいて支柱を２本立設し、各支柱間にＶ字型の基台を載置して、この基台から花火打ち上げ用の筒体を左右方向に斜設し、花火打上げの際に加わる上下の反動を和らげるため、各筒体の上部外周を紐体又は荒縄などを巻き廻して固定するようにした打上装置が知られている。
【０００４】
上記に関して特許文献１には上部開口部が上向きに設けられる左右一対の花火打上げ用の筒体と、この筒体の下部間を接続する連結部材と、前記筒体の上部間に配設され、この筒体の内側下部を支点として該筒体の上部同士を左右方向に開閉可能に保持する接続部を有する支持部材とを具備した花火打上げ装置が開示されている。
【特許文献１】実用新案登録第２５５５０６２号
【発明の開示】
【発明が解決しようとする課題】
【０００５】
従来から用いられている打上装置は、通常発射台から上空真上に向けて花火を発射しているのが一般的であるため、花火自体の打上角度には変化が乏しく、マンネリとなって観客に対するアピール度が低く、花火自体が飽きられてしまうという課題がある。また、特許文献１に記載された花火打上げ装置によれば、左右一対の花火打上げ用の筒体をＶ字形に連結することによって斜め上方に打ち上げることが可能であるが、打上げ用の筒体の下部間を連結部材を用いて接続するとともに筒体の内側下部を支点として上部同士を支持部材により開閉可能に保持しなければならないので、装置の組み立てが複雑であり、操作も煩瑣になるという難点があり、更に従来何れの打上装置でも花火自体を回転させながら打ち上げることができないという問題がある。
【０００６】
そこで本発明は上記問題点を解決して、発射台を回転及び傾動自在としたことにより、発射台を所定の角度に傾動させた状態で該発射台を回転させながら打ち上げたり、発射台の傾動角度を変化させつつ該発射台を回転させることにより、打上花火を夜空に趣向高く打ち上げることができる花火の打上装置を提供することを目的とするものである。
【課題を解決するための手段】
【０００７】
本発明は上記目的を達成するために、基台上に立設固定された主柱上に下端部が回動及び傾動可能に支持された主軸を設け、該主軸の上部に発射台を支持固定した花火の打上装置を基本構成としている。具体的には基台上に立設固定された主柱上に下端部が回動及び傾動可能に支持された主軸を設け、主軸に固定されたモータ支持台上に主軸回転用モータを配備するとともに、基台上に主軸傾動用モータを配備し、該主軸の上部に発射台を支持固定する。上記発射台上に発射筒の固定具を位置調節可能に取付けてある。
【発明の効果】
【０００８】
本発明によって得られた花火の打上装置によれば、花火の打上時に主軸傾動用モータと主軸回転用モータを起動することにより、発射台を回転及び傾動させることができるので、従来のように単に発射台から上空真上に向けて花火を発射するのと較べて花火自体の打上角度に変化を与えて観客に対するアピール度を高めることができる。また、打上装置自体の操作は容易であって、発射台を所定の角度に傾動させた状態で回転させながら打ち上げたり、発射台の傾動角度を変化させながら該発射台を回転させることも可能となって、打上花火を夜空に趣向高く打ち上げることができる花火の打上装置が提供される。
【発明を実施するための最良の形態】
【０００９】
以下本発明にかかる花火の打上装置の最良の実施形態を説明する。図１は打上装置を全体的に示す側面図、図２は同平面図であり、図中の１は基台であって該基台１の端縁部には複数本の脚筒２，２が固定されており、この脚筒２，２に脚体３，３が挿脱自在に配備されている。基台１上には主柱４が立設固定されており、この主柱４上にモータ支持台５が取付けられている。
【００１０】
６は主軸であり、この主軸６の下端部は球形の軸体７により主柱４に対して回動及び傾動可能に支持されている。８，８は主軸６を回動自在に支持する軸受ユニット、９はモータ支持台５上に配備された主軸回転用モータ、１０は基台１上に配備された主軸傾動用モータであり、この主軸傾動用モータ１０の出力軸に固定されたギヤ１１と主軸６側のギヤ１２及び両ギヤ１１，１２間に張設されたＶベルト１３によって主軸６を傾動操作することが可能となっている。この主軸傾動用モータ１０の回転方向は自在に切替可能となっており、主軸６の傾動角度も任意に設定することができる。また、主軸６の周部にはスプロケット６ａが固定されていて、主軸回転用モータ９のスプロケット９ａ間にＶベルト１４が配設されている。
【００１１】
１５は主軸６の上部に支持固定された発射台であり、この発射台１５上には４個の固定具が位置調節可能に取付けられている。即ち、発射台１５には長孔１７，１７が設けてあり、この長孔１７，１７に沿って固定具１６，１６を矢印Ａ又はＢ方向に移動させて位置を調節した後、締付ボルト２０，２０を用いて固定具１６，１６を固定する。１８は上記固定具１６，１６により固定された状態として配置された発射筒である。尚、図２に示した実施例では大きな発射筒１８だけでなく、小さな発射筒１９，１９を多数本配置した例も示している。
【００１２】
発射筒１８，１９の材料として、一般にＮｉを含有するオーステナイト系ステンレス鋼が採用されている。この発射筒１８，１９は円筒状のパイプ部と、このパイプ部の下部開口側に設けられた略半球凹状の底板により構成され、発射筒１９，１９は横方向に複数個並設されている。そして紙製の玉皮の中心に黒色火薬などを綿実などと混ぜた割薬を入れ、割薬と玉皮との隙間に色火剤や登煙剤を練り固めた小球状の星を積め込んで筒体の底に発射薬として黒色火薬が詰め込まれている。
【００１３】
かかる花火の打上装置によれば、打上に際して先ず基台１の端縁部に固定された複数本の脚筒２，２から脚体３，３を伸張して基台１を安定させてから主軸６の上部に支持固定された発射台１５上の４個の固定具を長孔１７，１７に沿って移動させ、該固定具の位置を調節しながら締付ボルト２０，２０を締付けて発射筒１８を固定する。打ち上げる花火の種類によって大きな発射筒１８だけでなく、小さな発射筒１９，１９を多数本配置してもよい。
【００１４】
そして花火の打上時には、基台１上に配備された主軸傾動用モータ１０とモータ支持台５上に配備された主軸回転用モータ９を起動することにより、主軸傾動用モータ１０の回転力がギヤ１１からＶベルト１３、ギヤ１２を介して主軸６を任意の角度に傾動させ、更に主軸回転用モータ９の回転力がスプロケット９ａからＶベルト１４、スプロケット６ａを介して主軸６を回転させることにより、発射台１５を回転及び傾動させて打ち上げることができる。
【産業上の利用可能性】
【００１５】
以上詳細に説明したように、本発明によれば花火の打上時に発射台を回転及び傾動させることができるので、発射台を所定の角度に傾動させた状態で回転させながら打ち上げたり、発射台の傾動角度を変化させながら該発射台を回転させることにより打上花火を夜空に趣向高く打ち上げることができる花火の打上装置が得られる。
【図面の簡単な説明】
【００１６】
【図１】本発明にかかる花火の打上装置を全体的に示す側面図。
【図２】図１の平面図。
【符号の説明】
【００１７】
１…基台
２…脚筒
３…脚体
４…主柱
５…モータ支持台
６…主軸
７…軸体
８…軸受ユニット
９…主軸回転用モータ
１０…主軸傾動用モータ
１５…発射台
１６…固定具
１８，１９…発射筒
２０…締付ボルト
【図１】
2005221111.tif 000003
【図２】
2005221111.tif 000004